(57)【要約】【課題】拡散板や遮光板を使用しなくても、明確な表示を行うことができ、コストダウンを図ることができるＬＥＤ表示携帯時計を提供する。【解決手段】時計ケース２０に取り付ける風防ガラス２２には、内面に、印刷等により塗装３４を施すことによりＬＥＤ光透過部材を形成してなる。その塗装を施した風防ガラスの内側には、モジュールＭの回路基板３２に実装して複数のＬＥＤチップ３０を備える。そして、その複数のＬＥＤチップのいくつかを選択的に点灯して塗装３４を透過して風防ガラスに情報表示を行う。【選択図】図３
2008128764.tif 000002
【特許請求の範囲】
【請求項１】
風防ガラスの内側に複数のＬＥＤチップを備え、その複数のＬＥＤチップを選択的に点灯して情報表示を行うＬＥＤ表示携帯時計において、
前記風防ガラスと前記複数のＬＥＤチップとの間に、その複数のＬＥＤチップを点灯したときにのみその点灯した表示を透過するＬＥＤ光透過部材を備えてなることを特徴とするＬＥＤ表示携帯時計。
【請求項２】
前記ＬＥＤ光透過部材を、前記風防ガラスの内面に塗装を施すことにより形成してなる、請求項１に記載のＬＥＤ表示携帯時計。
【請求項３】
前記ＬＥＤ光透過部材を、前記風防ガラスの内側にシートを配置することにより形成してなる、請求項１に記載のＬＥＤ表示携帯時計。
【請求項４】
前記ＬＥＤ光透過部材と時計ケースと、さらには時計バンドとを同系色としてなることを特徴とする、請求項１ないし３のいずれか１に記載のＬＥＤ表示携帯時計。
【請求項５】
前記複数のＬＥＤチップの表示サイズ幅を、時計ケースの幅の６０％以上としてなることを特徴とする、請求項１ないし４のいずれか１に記載のＬＥＤ表示携帯時計。
【請求項６】
前記複数のＬＥＤチップを実装する回路基板と、その回路基板の各ＬＥＤチップをそれぞれ個別にＬＥＤ収納孔内に収納して各ＬＥＤチップの照射範囲を区画するスペーサとを重ね合わせて備えてなることを特徴とする、請求項１ないし５のいずれか１に記載のＬＥＤ表示携帯時計。
【請求項７】
前記ＬＥＤ収納孔の内側面に、光を反射する塗装を施してなることを特徴とする、請求項６に記載のＬＥＤ表示携帯時計。
【請求項８】
前記スペーサの厚さを前記ＬＥＤチップの厚さの２倍以上としてなることを特徴とする、請求項６に記載のＬＥＤ表示携帯時計。
【請求項９】
前記スペーサを、光透過性の少ない黒または黒系統の材料を用いて形成してなることを特徴とする、請求項６に記載のＬＥＤ表示携帯時計。
【請求項１０】
前記回路基板を、ＬＥＤ駆動回路を載置する第１基板と、前記ＬＥＤ駆動回路で駆動する前記複数のＬＥＤチップを実装する第２基板とを積層して構成してなることを特徴とする、請求項６に記載のＬＥＤ表示携帯時計。
【請求項１１】
前記回路基板に電池とその電池を位置決めする電池支持枠とを重ね合わせ、前記スペーサに係合する回路支持板を用いてそれら電池と電池支持枠とを押さえてモジュールを構成することを特徴とする、請求項６ないし１０のいずれか１に記載のＬＥＤ表示携帯時計。
【発明の詳細な説明】
【技術分野】
【０００１】
この発明は、風防ガラスの内側に複数のＬＥＤチップを備え、その複数のＬＥＤチップで時刻、月日、曜日等の情報表示を行う、アナログ腕時計などのＬＥＤ表示携帯時計に関する。
【背景技術】
【０００２】
従来、この種のＬＥＤ表示携帯時計は、例えば図９に示すように、第１の回路基板１と、複数のＬＥＤチップ２を載置して第１の回路基板１の表側に重ね合わせる第２の回路基板３と、その第２の回路基板３の表側に重ね合わせ、各ＬＥＤチップ２をそれぞれ個別にＬＥＤ収納孔４ａ内に収納して各ＬＥＤチップ２の照射範囲を区画するスペーサ４と、そのスペーサ４の表側に重ね合わせ、各ＬＥＤチップ２の光を均一に拡散する拡散板５と、その拡散板５の表側に設け、拡散した光を発光窓６ａに透して任意の形状にする遮光板６とを備える。
【０００３】
そして、第１の回路基板１の表側には、回路支持台７を介して文字板８を取り付ける。一方、第１の回路基板１の裏側には、電池支持枠９で位置決めして電池１０を取り付ける。電池１０は、電池受けバネ１１を介して第１の回路基板１に接続する。また、電池支持枠９には、回路支持板１２を重ねて取付ねじ１３で回路支持台７に組み付ける。
【０００４】
【特許文献１】特開平１１-３０４９６７号公報
【特許文献２】特開昭５６-５７９８３号公報
【発明の開示】
【発明が解決しようとする課題】
【０００５】
ところが、このようなＬＥＤ表示携帯時計では、拡散板５や遮光板６を設けなければ、明確に情報表示を行うことができないから、部品点数が多くなり、コスト高となる問題があった。
【０００６】
そこで、この発明の第１の目的は、拡散板や遮光板を使用しなくても、明確な情報表示を行うことができ、コストダウンを図ることができるＬＥＤ表示携帯時計を提供することにある。
【０００７】
この発明の第２の目的は、時計バンドを含めて全体をデザイン的に一体化して、ＬＥＤチップを点灯したとき風防ガラスに情報を浮き出るように表示可能としたＬＥＤ表示携帯時計を提供することにある。
【０００８】
この発明の第３の目的は、意外性を持って、また視認性よく、情報を表示可能としたＬＥＤ表示携帯時計を提供することにある。
【０００９】
この発明の第４の目的は、情報を視認性よく明確に表示するＬＥＤ表示携帯時計を提供することにある。
【００１０】
この発明の第５の目的は、デジタル表示を明暗のムラなく、全体を均一にかつきれいに表示するＬＥＤ表示携帯時計を提供することにある。
【００１１】
この発明の第６の目的は、一層光の輪郭を明確に区画して、情報を明瞭かつきれいに、視認性よく表示するＬＥＤ表示携帯時計を提供することにある。
【００１２】
この発明の第７の目的は、一層情報表示の視認性を向上するＬＥＤ表示携帯時計を提供することにある。
【００１３】
この発明の第８の目的は、回路基板の厚さを増すことなく、小型に保持して配線パターンの高密度化を図るＬＥＤ表示携帯時計を提供することにある。
【００１４】
この発明の第９の目的は、少ない構成部品で、組立て性を向上して、製造容易とし、モジュールを一体化して取り扱いを簡単とするＬＥＤ表示携帯時計を提供することにある。
【課題を解決するための手段】
【００１５】
このため、この発明は、上述した第１の目的を達成すべく、風防ガラスの内側に複数のＬＥＤチップを備え、その複数のＬＥＤチップを選択的に点灯して情報表示を行うＬＥＤ表示携帯時計において、風防ガラスと複数のＬＥＤチップとの間に、その複数のＬＥＤチップを点灯したときにのみその点灯した表示を透過するＬＥＤ光透過部材を備えてなることを特徴とする。ＬＥＤ光透過部材は、風防ガラスの内面に塗装を施したり、風防ガラスの内側にシートを配置したりすることにより形成してなる。
【００１６】
上述した第２の目的を達成すべく、ＬＥＤ光透過部材は、時計ケースと、さらには時計バンドとも同系色とするとよい。また、上述した第３の目的を達成すべく、複数のＬＥＤチップの表示サイズ幅は、時計ケースの幅の６０％以上とするとよい。
【００１７】
上述した第４の目的を達成すべく、複数のＬＥＤチップを実装する回路基板と、その回路基板の各ＬＥＤチップをそれぞれ個別にＬＥＤ収納孔内に収納して各ＬＥＤチップの照射範囲を区画するスペーサとを重ね合わせて備えるとよい。ここで、上述した第５の目的を達成すべく、ＬＥＤ収納孔の内側面には、光を反射する、例えば白色の塗装を施すとよい。また、上述した第６の目的を達成すべく、スペーサの厚さは、ＬＥＤチップの厚さの２倍以上とするとよい。さらに、上述した第７の目的を達成すべく、スペーサは、光透過性の少ない黒または黒系統の材料を用いて形成するとよい。
【００１８】
上述した第８の目的を達成すべく、回路基板は、ＬＥＤ駆動回路を載置する第１基板と、ＬＥＤ駆動回路で駆動する複数のＬＥＤチップを実装する第２基板とを積層して構成するとよい。
【００１９】
上述した第９の目的を達成すべく、回路基板に電池とその電池を位置決めする電池支持枠とを重ね合わせ、スペーサに係合する回路支持板を用いてそれら電池と電池支持枠とを押さえてモジュールを構成するとよい。
【発明の効果】
【００２０】
この発明によれば、風防ガラスと複数のＬＥＤチップとの間に、その複数のＬＥＤチップを点灯したときにのみその点灯した表示を透過するＬＥＤ光透過部材を備えるので、従来必要であった拡散板や遮光板を用いなくても、明確な表示を行うことができ、コストダウンを図ることができる。風防ガラスの内面に塗装を施すことによりＬＥＤ光透過部材を形成すると、風防ガラスに印刷を行うときに同時に塗装を施すことができ、ほとんどコストアップを招くことなく実施可能である。
【００２１】
ＬＥＤ光透過部材を、時計ケースと、さらには時計バンドとも同系色とすると、時計バンドも含めて全体をデザイン的に一体化して、複数のＬＥＤチップを点灯したとき風防ガラスに情報が浮き出るように表示可能とすることができる。また、複数のＬＥＤチップの表示サイズ幅を、時計ケースの幅の６０％以上とすると、意外性を持って、また視認性よく、情報を時計ケースの幅いっぱいに大きく表示することができる。
【００２２】
複数のＬＥＤチップを実装する回路基板と、その回路基板の各ＬＥＤチップをそれぞれ個別にＬＥＤ収納孔内に収納して各ＬＥＤチップの照射範囲を区画するスペーサとを重ね合わせて備えると、ＬＥＤ収納孔で、そこに収納する各ＬＥＤチップの光の輪郭を明確に区画して、情報を明瞭かつきれいに、視認性よく表示することができる。
【００２３】
ここで、ＬＥＤ収納孔の内側面に、光を反射する塗装を施すと、各ＬＥＤチップの光をＬＥＤ収納孔の内側面で反射して拡散し、デジタル表示を明暗のムラなく、全体を均一にかつきれいに表示することができる。また、スペーサの厚さをＬＥＤチップの厚さの２倍以上とすると、スペーサを出る光の直進性を向上し、一層光の輪郭を明確に区画して、情報を明瞭かつきれいに、視認性よく表示することができる。さらに、スペーサを、光透過性の少ない黒または黒系統の材料を用いて形成すると、各ＬＥＤチップの光が、隣接するＬＥＤ収納孔に透過することなく、一層情報表示の視認性を向上することができる。
【００２４】
回路基板を、ＬＥＤ駆動回路を載置する第１基板と、ＬＥＤ駆動回路で駆動する複数のＬＥＤチップを実装する第２基板とを積層して構成すると、０．１ｍｍの２枚の基板で、基板強度上必要とされる０．２ｍｍの厚さを確保することができ、回路基板の厚さを増すことなく、小型に保持して配線パターンの高密度化を図ることができる。
【００２５】
回路基板に電池とその電池を位置決めする電池支持枠とを重ね合わせ、スペーサに係合する回路支持板を用いてそれら電池と電池支持枠とを押さえてモジュールを構成すると、少ない構成部品で、組立て性を向上して、製造容易とし、モジュールを一体化して取り扱いを簡単とすることができる。
【発明を実施するための最良の形態】
【００２６】
以下、図面を参照しつつ、この発明の実施の最良形態につき説明する。
図１には、この発明による時計バンド付きのＬＥＤ表示携帯時計を横から見て示す。図２（Ａ）には、そのＬＥＤ表示携帯時計の表示消灯状態を正面から見て示し、（Ｂ）には、表示点灯状態を正面から見て示す。
【００２７】
図中符号２０は、時計バンド２１を取り付けた時計ケースである。時計ケース２０は、内部にモジュールＭを収納し、正面に矩形細長な風防ガラス２２を固着し、裏側に裏ブタ２３を取り付けてなる。右側面には、第１スイッチ２４と第２スイッチ２５とを設けている。
【００２８】
風防ガラス２２の内側には、時計ケース２０内に収納するモジュールＭに、後述するごとく複数のＬＥＤチップを備える。ＬＥＤチップは、７つで、数字の８の字を形成する１つの７セグメント２６を構成し、その７セグメント２６をコロン２７を挟んで左右に２つずつ並べて配置してなる。コロン２７は、ＬＥＤチップを上下に１つずつ配置して構成してなる。
【００２９】
そして、複数のＬＥＤチップを選択的に点灯して情報表示を行う。すなわち、通常時は、図２（Ａ）に示す表示消灯状態にあり、スイッチ操作により、図２（Ｂ）に示す点灯状態とする。なお、第１スイッチ２４および／または第２スイッチ２５の操作により、時刻表示とともに、時刻修正などを行うことができる。
【００３０】
ところで、この発明によれば、風防ガラス２２の内面に、複数のＬＥＤチップを点灯したときにのみその点灯した表示を透過する塗装を施すことによりＬＥＤ光透過部材を形成してなる。これにより、従来必要であった拡散板や遮光板を用いなくても、明確な表示を行うことができ、コストダウンを図ることができる。
【００３１】
風防ガラス２２の内面に施す塗装は、時計ケース２０と、さらには時計バンド２１と同系色としてなる。これにより、時計バンド２１も含めて全体をデザイン的に一体化して、複数のＬＥＤチップのいくつかを選択的に点灯したとき風防ガラス２２に情報が浮き出るように表示可能としてなる。
【００３２】
このとき、複数のＬＥＤチップの表示サイズ幅Ｂ１は、時計ケース２０の幅Ｂ２の６０％以上としてなる。これにより、意外性を持って、また視認性よく、情報を時計ケース２０の幅Ｂ２いっぱいに大きく表示する。ちなみに、この例では、２５ｍｍ×２５ｍｍの女性向けサイズの時計ケース２０を用いてなる。そして、その風防ガラス２２に、ＬＥＤ表示サイズ幅Ｂ１が１８ｍｍの表示を行う。
【００３３】
図３には、時計ケース２０の縦断面を示す。図４（Ａ）には、時計ケース２０内に収納するモジュールＭを表側から見て示し、（Ｂ）にはモジュールＭの縦断面を示す。図５には、モジュールＭを裏側から見て示す。
【００３４】
モジュールＭは、複数のＬＥＤチップ３０を実装するとともに、ＩＣよりなるＬＥＤ駆動回路３１を搭載する表裏２層の回路基板３２と、その回路基板３２の表側（風防ガラス２２側）において各ＬＥＤチップ３０をそれぞれ個別に長孔状のＬＥＤ収納孔３３ａ内に収納して各ＬＥＤチップ３０の照射範囲を区画するスペーサ３３とを重ね合わせて備えてなる。
【００３５】
ここで、スペーサ３３は、光透過性の少ない黒または黒系統の材料を用いて形成してなり、図４（Ｂ）に示すように厚さＴ１をＬＥＤチップ３０の厚さＴ２の２倍以上としてなる。これにより、各ＬＥＤチップ３０の光が、隣接するＬＥＤ収納孔３３ａに透過することなく、一層情報表示の視認性を向上するとともに、スペーサ３３を出る光の直進性を向上し、一層光の輪郭を明確に区画して、情報を明瞭かつきれいに、視認性よく表示する。
【００３６】
ＬＥＤ収納孔３３ａには、図４（Ｂ）に示すように、内側面に、光を反射する、例えば白の塗装２８を施す。これにより、各ＬＥＤチップ３０の光をＬＥＤ収納孔３３ａの内側面で反射して拡散し、風防ガラス２２にデジタル表示を明暗のムラなく、全体を均一にかつきれいに表示する。
【００３７】
風防ガラス２２には、上述したとおり、内面に、印刷等により、複数のＬＥＤチップ３０を点灯したときにのみその点灯した表示を透過する塗装３４を施すことによりＬＥＤ光透過部材を形成してなる。この例では、時計ケース２０および時計バンド２１と同一系統色の透過性を有する塗装３４を施してなる。そして、時計ケース２０の風防取り付け孔２０ａにはめ付け、風防受け面２０ｂ上に載せて接着または溶着等で固定してなる。図示例では、固定を容易とするため、風防ガラス２２とスペーサ３３との間に隙間３５を設けたが、風防取り付け孔２０ａに風防ガラス２２を圧入するなどにより風防ガラス２２とスペーサ３３との間の隙間３５をなくすこともできる。
【００３８】
なお、上述した例では、風防ガラス２２の内面に印刷等により塗装３４を施したが、塗装３４に代えて、ＬＥＤ光透過部材として、白色のシートを隙間３５に配置するようにしてもよい。
【００３９】
他方、モジュールＭは、回路基板３２の裏側（裏ブタ２３側）において、リチュウム電池等のコイン型の電池３６とその電池３６を位置決めする電池支持枠３７とを重ね合わせ、回路支持板３８を用いてそれら電池３６と電池支持枠３７とを押さえてなる。回路支持板３８には、フック部３８ａを設け、そのフック部３８ａをスペーサ３３に係合してモジュールＭを一体化する。これにより、少ない構成部品で、組立て性を向上して、製造容易とし、モジュールＭを一体化して取り扱いを簡単とする。また、回路支持板３８には、図５に示すように、電池押さえ部３８ｂを一体に設けるとともに、第１スイッチ２４と第２スイッチ２５とで作動する第１スイッチばね３８ｃと第２スイッチバネ３８ｄを一体に設ける。
【００４０】
以上により、例えばモジュール径がφ２０．５ｍｍで、ＬＥＤ表示サイズ幅Ｂ１が１８ｍｍのモジュールＭを構成する。
【００４１】
図６（Ａ）ないし（Ｃ）には、２層の回路基板３２の第１層である第１基板３２Ａを示し、図７（Ａ）ないし（Ｃ）には、第２層である第２基板３２Ｂを示す。
図示するように、第１基板３２Ａには、複数のＬＥＤチップ３０を駆動するＬＥＤ駆動回路３１を載置する。他方、第２基板３２Ｂには、複数のＬＥＤチップ３０を実装する。このようにすると、０．１ｍｍの２枚の基板３２Ａ、３２Ｂで、基板強度上必要とされる０．２ｍｍの厚さを確保することができ、回路基板３２の厚さを増すことなく、小型に保持して配線パターンの高密度化を図ることができる。
【００４２】
図８（Ａ）ないし（Ｄ）には、この発明によるＬＥＤ表示携帯時計の４つのデザイン例を示す。
（Ａ）では、風防ガラス２２を黒色、時計ケース２０および時計バンド２１を白色で構成した例を示す。（Ｂ）ないし（Ｄ）では、風防ガラス２２、時計ケース２０、時計バンド２１をすべて白色で構成した例を示す。
【００４３】
ＬＥＤチップ３０の発光色は、赤色でもよいし、青色、黄色、白色等でもよい。ＬＥＤチップ３０の発光色と時計ケース２０の色を組み合わせることにより、多くのバリエーションが可能となる。
【図面の簡単な説明】
【００４４】
【図１】この発明による時計バンド付きのＬＥＤ表示携帯時計の側面図である。
【図２】（Ａ）はそのＬＥＤ表示携帯時計の表示消灯状態、（Ｂ）は表示点灯状態の正面図である。
【図３】そのＬＥＤ表示携帯時計の時計ケースの縦断面図である。
【図４】（Ａ）はその時計ケース内に収納するモジュールの表面図、（Ｂ）はモジュールの縦断面図である。
【図５】モジュールの裏面図である。
【図６】（Ａ）ないし（Ｃ）は、それぞれ２層の回路基板の第１層である第１基板の側面図、表面図、裏面図である。
【図７】（Ａ）ないし（Ｃ）は、それぞれ第２層である第２基板の側面図、表面図、裏面図である。
【図８】（Ａ）ないし（Ｄ）には、それぞれこの発明によるＬＥＤ表示携帯時計の４つのデザイン例を示す図である。
【図９】従来のＬＥＤ表示携帯時計の縦断面図である。
【符号の説明】
【００４５】
２０    時計ケース
２１    時計バンド
２２    風防ガラス
２３    裏ブタ
２６    ７セグメント
２７    コロン
２８    光を反射する塗装
３０    ＬＥＤチップ
３１    ＬＥＤ駆動回路
３２    回路基板
３２Ａ  第１基板
３２Ｂ  第２基板
３３    スペーサ
３３ａ  ＬＥＤ収納孔
３４    塗装（ＬＥＤ光透過部材）
３５    隙間
３６    電池
３７    電池支持枠
３８    回路支持板
３８ａ  フック部
Ｍ      モジュール
【図１】
2008128764.tif 000003
【図２】
2008128764.tif 000004
【図３】
2008128764.tif 000005
【図４】
2008128764.tif 000006
【図５】
2008128764.tif 000007
【図６】
2008128764.tif 000008
【図７】
2008128764.tif 000009
【図８】
2008128764.tif 000010
【図９】
2008128764.tif 000011